【手続補正書】
【提出日】平成20年6月13日(2008.6.13)
【手続補正１】
【補正対象書類名】明細書
【補正対象項目名】特許請求の範囲
【補正方法】変更
【補正の内容】
【特許請求の範囲】
【請求項１】 送信側としても受信側としても働く超音波送受波器を少なくとも１対設け、流体の流れの中を上流から下流の順方向及び下流から上流の逆方向に超音波の送受信を行い、その各方向の到達時間より流量を求める超音波流量計で、かつ、各方向毎に先ず一方の送受波器を送信側として送信し、他方の受信側送受波器の信号を入力とする受信波検知部が受信波を検知すると再び送信側送受波器を駆動して送信し、これを複数の一定回数繰り返すように構成し、各方向毎に第１回目の送信から一定回数目の受信までの時間を測定し、その結果から到達時間を求める超音波流量計において、
前記受信波検知部は、ある基準レベルに対し最初にそのレベルを越えた波が次にゼロクロスする点を到達ポイントとし、
送信の駆動パターンの極性のみ逆にできるようにすると共に、前記基準レベルの極性のみ逆にした逆基準レベルを用意し、
送信の駆動パターンの極性を逆にしたときは、その送信に対応する受信は、前記逆基準レベルを最初に逆方向に越えた波が次にゼロクロスする点を到達ポイントとし、
前記一定回数の送信の１／４の回数を前記２つの駆動パターンの一方の送信とし、このパターンでの送信後は少なくとも２回のもう一方のパターンの送信を行うようにした超音波流量計。
【請求項２】送信側としても受信側としても働く超音波送受波器を少なくとも１対設け、流体の流れの中を上流から下流の順方向及び下流から上流の逆方向に超音波の送受信を行い、その各方向の到達時間より流量を求める超音波流量計で、かつ、各方向毎に先ず一方の送受波器を送信側として送信し、他方の受信側送受波器の信号を入力とする受信波検知部が受信波を検知すると再び送信側送受波器を駆動して送信し、これを複数の一定回数繰り返すように構成し、各方向毎に第１回目の送信から一定回数目の受信までの時間を測定し、その結果から到達時間を求める超音波流量計において、
前記受信波検知部は、１回目の受信は１つの送信による一群の受信波のうち特定番目と判断した波がゼロクロスする点を到達ポイントとし、
第２回目以降の受信は前回の送信から到達ポイントまでの時間から一定時間を減じた時間がその回の送信から経過した時以降の最初のゼロクロスポイントを到達ポイントとするようにし、
送信は駆動パターンの極性のみを逆にできるようになっていて、
前記一定回数の送信のうち１／４の回数を第１の送信と極性が逆の駆動パターンの送信とし、この極性が逆の駆動パターンでの送信後は少なくとも２回の第１の送信と同極性の駆動パターンの送信を行うようにした超音波流量計。
【請求項３】送信側としても受信側としても働く超音波送受波器を少なくとも１対設け、流体の流れの中を上流から下流の順方向及び下流から上流の逆方向に超音波の送受信を行い、その各方向の到達時間より流量を求める超音波流量計で、かつ、各方向毎に先ず一方の送受波器を送信側として送信し、他方の受信側送受波器の信号を入力とする受信波検知部が受信波を検知すると再び送信側送受波器を駆動して送信し、これを複数の一定回数繰り返すように構成し、各方向毎に第１回目の送信から一定回数目の受信までの時間を測定し、その結果から到達時間を求める超音波流量計において、
前記受信波検知部は、１回目の受信は１つの送信による一群の受信波のうち特定番目と判断した波がゼロクロスする点を到達ポイントとし、
第２回目以降の受信は前回の送信から到達ポイントまでの時間から一定時間を減じた時間がその回の送信から経過した時以降の最初のゼロクロスポイントを到達ポイントとするようにし、
送信は駆動パターンの極性のみを逆にできるようになっていて、
前記一定回数の送信のうち３／４の回数を第１の送信と極性が逆の駆動パターンの送信とし、第１の送信と同極性の駆動パターンでの送信後は少なくとも２回の第１の送信と逆極性の駆動パターンの送信を行うようにした超音波流量計。
【手続補正２】
【補正対象書類名】明細書
【補正対象項目名】００２７
【補正方法】変更
【補正の内容】
【００２７】
そこで、前記目的を達成するために、請求項１の発明は、送信側としても受信側としても働く超音波送受波器を少なくとも１対設け、流体の流れの中を上流から下流の順方向及び下流から上流の逆方向に超音波の送受信を行い、その各方向の到達時間より流量を求める超音波流量計で、かつ、各方向毎に先ず一方の送受波器を送信側として送信し、他方の受信側送受波器の信号を入力とする受信波検知部が受信波を検知すると再び送信側送受波器を駆動して送信し、これを複数の一定回数繰り返すように構成し、各方向毎に第１回目の送信から一定回数目の受信までの時間を測定し、その結果から到達時間を求める超音波流量計において、
前記受信波検知部は、ある基準レベルに対し最初にそのレベルを越えた波が次にゼロクロスする点を到達ポイントとし、
送信の駆動パターンの極性のみ逆にできるようにすると共に、前記基準レベルの極性のみ逆にした逆基準レベルを用意し、
送信の駆動パターンの極性を逆にしたときは、その送信に対応する受信は、前記逆基準レベルを最初に逆方向に越えた波が次にゼロクロスする点を到達ポイントとし、
前記一定回数の送信の１／４の回数を前記２つの駆動パターンの一方の送信とし、このパターンでの送信後は少なくとも２回のもう一方のパターンの送信を行うようにした超音波流量計である。
【手続補正３】
【補正対象書類名】明細書
【補正対象項目名】００３０
【補正方法】変更
【補正の内容】
【００３０】
また、請求項２の発明は、送信側としても受信側としても働く超音波送受波器を少なくとも１対設け、流体の流れの中を上流から下流の順方向及び下流から上流の逆方向に超音波の送受信を行い、その各方向の到達時間より流量を求める超音波流量計で、かつ、各方向毎に先ず一方の送受波器を送信側として送信し、他方の受信側送受波器の信号を入力とする受信波検知部が受信波を検知すると再び送信側送受波器を駆動して送信し、これを複数の一定回数繰り返すように構成し、各方向毎に第１回目の送信から一定回数目の受信までの時間を測定し、その結果から到達時間を求める超音波流量計において、
前記受信波検知部は、１回目の受信は１つの送信による一群の受信波のうち特定番目と判断した波がゼロクロスする点を到達ポイントとし、
第２回目以降の受信は前回の送信から到達ポイントまでの時間から一定時間を減じた時間がその回の送信から経過した時以降の最初のゼロクロスポイントを到達ポイントとするようにし、
送信は駆動パターンの極性のみを逆にできるようになっていて、
前記一定回数の送信のうち１／４の回数を第１の送信と極性が逆の駆動パターンの送信とし、この極性が逆の駆動パターンでの送信後は少なくとも２回の第１の送信と同極性の駆動パターンの送信を行うようにした超音波流量計である。
【手続補正４】
【補正対象書類名】明細書
【補正対象項目名】００３１
【補正方法】変更
【補正の内容】
【００３１】
請求項３の発明は、送信側としても受信側としても働く超音波送受波器を少なくとも１対設け、流体の流れの中を上流から下流の順方向及び下流から上流の逆方向に超音波の送受信を行い、その各方向の到達時間より流量を求める超音波流量計で、かつ、各方向毎に先ず一方の送受波器を送信側として送信し、他方の受信側送受波器の信号を入力とする受信波検知部が受信波を検知すると再び送信側送受波器を駆動して送信し、これを複数の一定回数繰り返すように構成し、各方向毎に第１回目の送信から一定回数目の受信までの時間を測定し、その結果から到達時間を求める超音波流量計において、
前記受信波検知部は、１回目の受信は１つの送信による一群の受信波のうち特定番目と判断した波がゼロクロスする点を到達ポイントとし、
第２回目以降の受信は前回の送信から到達ポイントまでの時間から一定時間を減じた時間がその回の送信から経過した時以降の最初のゼロクロスポイントを到達ポイントとするようにし、
送信は駆動パターンの極性のみを逆にできるようになっていて、
前記一定回数の送信のうち３／４の回数を第１の送信と極性が逆の駆動パターンの送信とし、第１の送信と同極性の駆動パターンでの送信後は少なくとも２回の第１の送信と逆極性の駆動パターンの送信を行うようにした超音波流量計である。